(57)【要約】      （修正有）【課題】１つの採便用具内で２日分の糞便を分けて保存し、かつ、検査の直前に検体を混合できる採便用具を提供する。【解決手段】採便用具１０は、第１の糞便を採取する第１採便棒１１と、第１の糞便を浸漬する第１保存液２１を収容する第１収容部２２と、第２の糞便を採取する第２採便棒１３と、第２の糞便を浸漬する第２保存液２３を、第１保存液２１と隔離して収容する第２収容部２４と、第１の糞便を浸漬した第１保存液２１を検査のために採液する空間であり、かつ、第２の糞便を浸漬した第２保存液２３を検査のために採液する空間である共通採液部と、を備える。【選択図】図３
2020051865.tif 000002
【特許請求の範囲】
【請求項１】
第１の糞便を採取する第１採便棒と、
前記第１の糞便を浸漬する第１保存液を収容する第１収容部と、
第２の糞便を採取する第２採便棒と、
前記第２の糞便を浸漬する第２保存液を、前記第１保存液と隔離して収容する第２収容部と、
前記第１の糞便を浸漬した前記第１保存液を検査のために採液する空間であり、かつ、前記第２の糞便を浸漬した前記第２保存液を検査のために採液する空間である共通採液部と、
を備える採便用具。
【請求項２】
前記第１の糞便を浸漬した前記第１保存液をろ過する第１フィルタと、
前記第２の糞便を浸漬した前記第２保存液をろ過する第２フィルタと、
を備え、
前記共通採液部は、前記第１フィルタを介して前記第１収容部と隣接し、かつ、前記第２フィルタを介して前記第２収容部と隣接する請求項１に記載の採便用具。
【請求項３】
前記第１の糞便を浸漬した前記第１保存液をろ過し、かつ、前記第２の糞便を浸漬した前記第２保存液をろ過する共通フィルタを備え、
前記共通採液部は、前記共通フィルタを介して前記第１収容部及び前記第２収容部と隣接している請求項１に記載の採便用具。
【請求項４】
前記第１収容部及び／または前記第２収容部を押圧した場合に開口することによって前記第１収容部と前記第２収容部を連通する連通部を備える請求項３に記載の採便用具。
【請求項５】
前記第１収容部に設けた第１開口と、前記第２収容部に設けた第２開口と、を封止する開口封止部を備え、
前記共通フィルタは前記開口封止部に設けられている請求項３に記載の採便用具。
【請求項６】
前記第１収容部に第１開口を開口し、かつ、前記第２収容部に第２開口を開口する開口形成部を備え、
前記共通フィルタは前記開口形成部に設けられている請求項３に記載の採便用具。
【請求項７】
前記共通採液部が狭窄している請求項１〜６のいずれか１項に記載の採便用具。
【発明の詳細な説明】
【技術分野】
【０００１】
本発明は、糞便を採取する採便用具に関する。
【背景技術】
【０００２】
便潜血等の検査は、通常２日分の糞便を検査する。例えば、便潜血検査は２日分の糞便を採取して行う。検査結果は、１日目または２日目のいずれか一方または両方が陽性（潜血検出）の場合に「陽性」と判定する。通常は、２日分の糞便を採取するために、１日目用と２日目用の２個の採便用具を使用するが、２日分の糞便を１個の容器に採取する採便用具が知られている（特許文献１及び特許文献２）。
【先行技術文献】
【特許文献】
【０００３】
【特許文献１】特開２０１２−１３２８９７号公報
【特許文献２】特開平９−２９２３９２号公報
【発明の概要】
【発明が解決しようとする課題】
【０００４】
便潜血等の検査は、２日分の検査のうち、少なくともいずれか一方で陽性反応が出れば、全体として「陽性」という判定とするにもかかわらず、２日分の検査を各々に行うので、検査に長時間を要し、かつ検査費用もかかる。上記判定方法からすれば、２日分の検体を混合して１度に検査を行うことにより、検査時間を短縮することが望まれる。
【０００５】
一方、１個の採便用具で２日分の糞便を採取するのは、不衛生である。また、採便用具は採取した糞便を所定の薬液（以下、保存液という）に浸漬することにより、保存等する。しかし、２日分の糞便を共通の保存液に順次浸漬して保存等する場合、１日目の糞便の保存に保存液の有効成分の大部分が消費され、２日目の糞便が適切に保存されない場合がある。この場合、正しい検査結果が得られない。このため、２日分の検体を混合して１度に検査を行う場合、検査をする際に（検査の直前に）検体を混合することが望ましい。
【０００６】
そこで、本発明は、１つの採便用具内で２日分の糞便を分けて保存し、かつ、検査の直前に検体を混合できる採便用具を提供することを目的とする。
【課題を解決するための手段】
【０００７】
本発明の採便用具は、第１の糞便を採取する第１採便棒と、第１の糞便を浸漬する第１保存液を収容する第１収容部と、第２の糞便を採取する第２採便棒と、第２の糞便を浸漬する第２保存液を、第１保存液と隔離して収容する第２収容部と、第１の糞便を浸漬した第１保存液を検査のために採液する空間であり、かつ、第２の糞便を浸漬した第２保存液を検査のために採液する空間である共通採液部と、を備える。
【０００８】
第１の糞便を浸漬した第１保存液をろ過する第１フィルタと、第２の糞便を浸漬した第２保存液をろ過する第２フィルタと、を備え、共通採液部は、第１フィルタを介して第１収容部と隣接し、かつ、第２フィルタを介して第２収容部と隣接することが好ましい。
【０００９】
第１の糞便を浸漬した第１保存液をろ過し、かつ、第２の糞便を浸漬した第２保存液をろ過する共通フィルタを備え、共通採液部は、共通フィルタを介して第１収容部及び第２収容部と隣接していることが好ましい。
【００１０】
第１収容部及び／または第２収容部を押圧した場合に開口することによって第１収容部と第２収容部を連通する連通部を備えることが好ましい。
【００１１】
第１収容部に設けた第１開口と、第２収容部に設けた第２開口と、を封止する開口封止部を備え、共通フィルタは開口封止部に設けられていることが好ましい。
【００１２】
第１収容部に第１開口を開口し、かつ、第２収容部に第２開口を開口する開口形成部を備え、共通フィルタは開口形成部に設けられている。
【００１３】
共通採液部が狭窄していることが好ましい。
【発明の効果】
【００１４】
本発明によれば、１つの採便用具内で２日分の糞便を分けて保存し、かつ、検査の直前に検体を混合できる採便用具を提供することができる。
【図面の簡単な説明】
【００１５】
【図１】採便用具の外観を示す斜視図である。
【図２】採便用具の断面図である。
【図３】採便用具の断面図である。
【図４】採便用具の上面図である。
【図５】検査装置のブロック図である。
【図６】穿刺具の作用を示す説明図である。
【図７】押圧具及び採液管の作用を示す説明図である。
【図８】第２実施形態における採便用具を構成する容器の断面図である。
【図９】変形例の容器の断面図である。
【図１０】変形例の容器の断面図である。
【図１１】第３実施形態における採便用具を構成する容器のＹＺ断面図である。
【図１２】第３実施形態における採便用具を構成する容器のＸＺ断面図である。
【図１３】第４実施形態における採便用具を構成する容器の断面図である。
【図１４】連通部の作用を示す説明図である。
【図１５】連通部の作用を示す説明図である。
【図１６】第５実施形態における採便用具を構成する容器の断面図である。
【図１７】容器の下面図（底面図）である。
【図１８】第５実施形態における採便用具の初期状態を示す断面図である。
【図１９】第５実施形態の採便用具から検査液を取得する状態を示す説明図である。
【図２０】第６実施形態における採便用具を構成する容器の断面図である。
【図２１】開口形成部の部分を拡大した拡大断面図である。
【図２２】第６実施形態の採便用具から検査液を取得する状態を示す説明図である。
【図２３】把持部である各キャップ部分の変形例を示す説明図である。
【図２４】把持部である各キャップ部分の変形例を示す説明図である。
【図２５】把持部である各キャップ部分の変形例を示す説明図である。
【図２６】第１キャップの取り外し方を示す説明図である。
【図２７】全体形状の変形例を示す説明図である。
【図２８】全体形状の変形例を示す説明図である。
【発明を実施するための形態】
【００１６】
［第１実施形態］
図１に示すように、採便用具１０は、第１採便棒１１と、第１採便棒１１の把持部である第１キャップ１２と、第２採便棒１３と、第２採便棒１３の把持部である第２キャップ１４と、検体である糞便を保存する容器１６と、を備える。採便用具１０は、便潜血検査等のために、糞便を２回採取及び保存するための採便用具である。本実施形態においては、採便用具１０は、異なる日に排泄した２日分の糞便を採取する。ただし、採便用具１０は１つの糞便の２箇所（２箇所の表面または表面及び内部等）から採便する場合にも使用できる。
【００１７】
第１採便棒１１は、第１の糞便を採取する。第１の糞便とは、２日分の糞便を採取する場合には第１日目の糞便である。１つの糞便の２箇所から採便する場合には第１箇所から採取する糞便が第１の糞便である。第１採便棒１１は、第１キャップ１２と一体に形成され、または接合している。このため、容器１６から第１キャップ１２を取り外すことにより、容器１６から第１採便棒１１を取り出すことができる。第１採便棒１１は、例えば円柱状または楕円柱形状である。第１採便棒１１は、先端付近を検査対象である糞便の表面に擦り付けることにより、第１の糞便を採取する。
【００１８】
第２採便棒１３は、第２の糞便を採取する。第２の糞便とは、２日分の糞便を採取する場合には、第１日目とは異なる日に排泄する第２日目の糞便である。１つの糞便の２箇所から採便する場合には、第１採便棒１１を用いて採便する第１箇所とは異なる第２箇所から採取する糞便が第２の糞便である。第２採便棒１３は、第２キャップ１４と一体に形成され、または接合している。このため、容器１６から第２キャップ１４を取り外すことにより、容器１６から第２採便棒１３を取り外すことができる。また、第２採便棒１３は例えば円柱状または楕円柱状であり、第２採便棒１３は先端付近を検査対象である糞便の表面に擦り付けることにより、糞便を採取する。
【００１９】
なお、第１採便棒１１及び第１キャップ１２と、第２採便棒１３及び第２キャップ１４と、は全体として実質的に同様の造形となっている。このため、第１採便棒１１を第２の糞便の採取に使用でき、かつ、第２採便棒１３を第１の糞便の採取に使用できる。第１の糞便の採取時と第２の糞便の採取時の使用感を統一して、採便用具１０を使いやすくするためである。ただし、第１採便棒１１及び第１キャップ１２と第２採便棒１３及び第２キャップ１４は、全体的な色もしくは模様、文字もしくは記号等の表示、または、部分的な色もしくは形状の相違等によって容易に識別し得るようになっている。例えば、第１採便棒１１及び第１キャップ１２は赤系統色（薄赤色等）であり、第２採便棒１３及び第２キャップ１４は青系統色（薄青色等）である。第１採便棒１１と第２採便棒１３の識別を容易にすることで、第１採便棒１１または第２採便棒１３の一方を用いて第１の糞便及び第２の糞便の両方を採取する等の不具合を低減するためである。また、第２キャップ１４は、第１キャップ１２とは別に容器１６から取り外すことができる。このため、第１採便棒１１を用いた第１の糞便の採取と、第２採便棒１３を用いた第２の糞便の採取は、それぞれ独立に行うことができる。例えば、第１採便棒１１を用いて第１の糞便を採取した後、第２採便棒１３を用いて第２の糞便を採取する場合には、第１の糞便が付着していない第２採便棒１３だけを容器１６の外に露呈する。このため、採便用具１０は、衛生的に使用できる。
【００２０】
容器１６は、第１の糞便と第２の糞便をそれぞれ別々の保存液に浸漬し、隔離して保存する。第１の糞便と第２の糞便のそれぞれを適切に保存するためである。このため、容器１６は、第１採便棒１１を用いて採取した糞便を浸漬する第１保存液２１を収容する第１収容部２２と、第２採便棒１３を用いて採取した糞便を浸漬する第２保存液２３を、第１保存液２１と隔離して収容する第２収容部２４と、を有する。本実施形態においては、第１保存液２１には第１の糞便を浸漬する。また、第１保存液２１は、採取した第１の糞便を所定の期間（例えば１週間程度）保存するための薬液である。同様に、本実施形態においては、第２保存液２３には第２の糞便を浸漬する。また、第２保存液２３は、採取した第２の糞便を所定の期間保存するための薬液である。
【００２１】
なお、本実施形態においては、第１保存液２１と第２保存液２３は、成分等が等しい同種の薬液である。例えば、第１保存液２１と第２保存液２３は、いずれも赤血球中のヘモグロビンの崩壊を防ぐ成分を含有する。第１の糞便と第２の糞便を同じ条件で保存するためのである。また、本実施形態においては、第１収容部２２に収容する第１保存液２１の量（重さまたは体積等）は、第２収容部２４に収容する第２保存液２３の量と、ほぼ同量である。第１の糞便と第２の糞便を同じ条件で保存するためである。ただし、必要に応じて、第１保存液２１と第２保存液２３とで有効成分の含有量等を変えることができる。また、必要に応じて、第１保存液２１と第２保存液２３の体積または濃度等を変えることができる。
【００２２】
また、容器１６の表面には、例えば、被検者の氏名、性別、年齢、及び／または、採便をした日時等を記載するラベル（図示しない）を貼付する。このため、採便用具１０は、全体として概ね扁平な直方体形状となっており、幅広の表面においてラベルの記載事項を読み取りやすくしている。
【００２３】
図２及び図３に示すように、第１採便棒１１は、先端部分または先端部分の近傍に、検体である糞便を採取する採便部３１を有する。採便部３１は、例えば、第１採便棒１１の表面に設けた１または複数の凹部（例えば溝）で形成する。同様に、第２採便棒１３は、先端部分または先端部分の近傍に採便部３３を有する。採便部３３は、例えば、第１採便棒１１の表面に設けた１または複数の凹部（例えば溝）で形成する。また、第１採便棒１１の採便部３１と第２採便棒１３の採便部３３
【００２４】
容器１６は、第１収容部２２及び第２収容部２４の他、第１嵌合部４１及び第２嵌合部４３、第１導管４５及び第２導管４７、並びに、共通採液部６５を備える。
【００２５】
第１嵌合部４１は、第１採便棒１１を挿通し、かつ、第１キャップ１２と嵌合する。このため、第１嵌合部４１は、第１採便棒１１の挿入口及び取り出し口であり、第１キャップ１２と嵌合した場合には、第１嵌合部４１に通じる容器１６内の空間を水密及び／または気密に保つ。第１嵌合部４１に通じる容器１６内の空間とは、第１導管４５及び第１収容部２２等である。
【００２６】
第１導管４５は、第１採便棒１１を、第１嵌合部４１または第１収容部２２に導く管路である。このため、第１導管４５の一端は第１嵌合部４１に通じ、第１導管４５の他端は第１収容部２２に通じている。第１採便棒１１を容器１６から引き抜く場合、第１導管４５は、第１収容部２２から、取り出し口である第１嵌合部４１に第１採便棒１１を導く。第１採便棒１１を容器１６に挿入する場合、第１導管４５は、挿入口である第１嵌合部４１から第１収容部２２に第１採便棒１１を導く。第１導管４５の第１収容部２２側の端部は狭窄しており、第１擦切部５３を形成する。第１擦切部５３は、採便部３１に採取した糞便を適量に擦り切ることにより、検査に必要な所定量の糞便を第１収容部２２に通す。なお、第１採便棒１１を第１擦切部５３に挿通しているか否かにかかわらず、第１保存液２１は、表面張力等により、第１擦切部５３を通って第１導管４５に流入することはない。また、容器１６を人力で押圧した場合も、通常は、第１保存液２１が第１擦切部５３を通って第１導管４５に流入することはない。
【００２７】
第２嵌合部４３は、第２採便棒１３を挿通し、かつ、第２キャップ１４と嵌合する。このため、第２嵌合部４３は、第２採便棒１３の挿入口及び取り出し口であり、第２キャップ１４と嵌合した場合には、第２嵌合部４３に通じる容器１６内の空間を水密及び／または機密に保つ。第２嵌合部４３に通じる容器１６内の空間とは、第２導管４７及び第２収容部２４等である。
【００２８】
第２導管４７は、第２採便棒１３を、第２嵌合部４３または第２収容部２４に導く管路である。このため、第２導管４７の一端は第２嵌合部４３に通じ、第２導管４７の他端は第２収容部２４に通じている。第２採便棒１３を容器１６から引き抜く場合、第２導管４７は、第２収容部２４から、取り出し口である第２嵌合部４３に第２採便棒１３を導く。第２採便棒１３を容器１６に挿入する場合、第２導管４７は、挿入口である第２嵌合部４３から第２収容部２４に第２採便棒１３を導く。第２導管４７の第２収容部２４側の端部は狭窄しており、第２擦切部５５を形成する。第２擦切部５５は、採便部３３に採取した糞便を適量に擦り切ることにより、検査に必要な所定量の糞便を第２収容部２４に通す。なお、第２採便棒１３を第２擦切部５５に挿通しているか否かにかかわらず、第２保存液２３は、表面張力等により、第２擦切部５５を通って第２導管４７に流入することはない。また、容器１６を人力で押圧した場合も、通常は、第２保存液２３が第２擦切部５５を通って第２導管４７に流入することはない。
【００２９】
なお、図４に示すように、第１キャップ１２は、第２キャップ１４と物理的に干渉することなく、第１嵌合部４１を中心として回動可能となっている。図４（Ａ）に示すように容器１６に取り付けた第１キャップ１２を、図４（Ｂ）に示すように第１嵌合部４１を中心に約９０°回転すると、図４（Ｃ）に示すように第１キャップ１２が第１嵌合部４１から取り外すことができる。逆に、第１嵌合部４１に第１採便棒１１を挿入し、例えば図４（Ａ）の向きで第１キャップ１２を押し込むことにより、第１キャップ１２を本体に取り付けることができる。図４においては、第１キャップ１２を容器１６に着脱する例を示しているが、第２キャップ１４も同様にして容器１６に着脱できる。
【００３０】
上記のほか、容器１６は、第１収容部２２と第２収容部２４の間に、第１収容部２２と第２収容部２４を仕切る仕切壁６０を有する（図２及び図３参照）。このため、容器１６内で、第１収容部２２と第２収容部２４は隔絶しており、第１保存液２１と第２保存液２３は自然に混合することはない。
【００３１】
本実施形態においては、容器１６は、第１収容部２２及び第２収容部２４の底部に、第１収容部２２と第２収容部２４にまたがって設けられた共通フィルタ６１を備え、共通採液部６５は、共通フィルタ６１を介して第１収容部２２及び第２収容部２４と隣接している。共通フィルタ６１は、第１の糞便を浸漬した第１保存液２１を検査に使用する場合に、第１保存液２１をろ過する。これにより、共通フィルタ６１は第１保存液２１が含む第１の糞便の残滓を低減する。第１の糞便の残滓を低減する。また、共通フィルタ６１は、第２の糞便を浸漬した第２保存液２３を検査に使用する場合に、第２保存液２３をろ過する。これにより、第２保存液２３が含む第２の糞便の残滓を低減する。共通フィルタ６１は、封止フィルム６２によって封止されている。第１の糞便を浸漬した第１保存液２１及び／または第２の糞便を浸漬した第２保存液２３を検査に使用する場合には、封止フィルム６２を剥離し、または、封止フィルム６２に開口を形成する。なお、共通フィルタ６１は、第１保存液２１及び第２保存液２３が自然に通過しない程度に高密度である。このため、容器１６に機械的な圧力を加える等しない限り、自然な状態（被検者が通常に使用する状態及び採便用具１０を保管してる状態）においては第１保存液２１及び第２保存液２３は共通フィルタ６１を漏出することはない。
【００３２】
上記のほか、容器１６は、検査に使用する場合に、第１の糞便を浸漬した第１保存液２１を検査のために採液する空間であり、かつ、第２の糞便を浸漬した第２保存液２３を検査のために採液する空間である共通採液部６５を備える（図２及び図３参照）。共通採液部６５は、ろ過後の第１保存液２１とろ過後の第２保存液２３を混合する。また、共通採液部６５は、ろ過後の第１保存液２１とろ過後の第２保存液２３の混合した検査液９６（図７参照）を溜める検査液溜まりを構成する。便潜血等の検査においては、ろ過後の第１保存液２１とろ過後の第２保存液２３の混合した検査液９６を使用する。検査液９６の採液は、ろ過後の第１保存液２１の採液と、ろ過後の第２保存液２３の採液を兼ねる。本実施形態においては、共通採液部６５は、共通フィルタ６１を介して第１収容部２２及び第２収容部２４と接続する。また、共通採液部６５の一端（採便用具１０の底部）は封止フィルム６６で封止しているが、共通採液部６５から検査液９６を採液する場合には、封止フィルム６６を剥離し、または、封止フィルム６６に開口を形成する。
【００３３】
以下、採便用具１０の作用を説明する。まず、図５に示すように、採便用具１０から採液する検査液９６を用いて便潜血等の検査を行う検査装置８０は、例えば、穿刺部８１、容器押圧部８２、採液部８３、及び、検査部８４等を備える。図６に示すように、検査装置８０においては、第１採便棒１１を用いて第１の糞便を採取し、かつ、第２採便棒１３を用いて第２の糞便を採取した採便用具１０を、共通採液部６５を概ね鉛直上方（図６においては紙面上方）に向けて採便用具１０を配置する。そして、穿刺部８１は、穿刺具９１を用いて封止フィルム６６と封止フィルム６２に開口を形成する。
【００３４】
その後、図７に示すように、容器押圧部８２が、第１収容部２２の側面を押圧する押圧具９２と、第２収容部２４の側面を押圧する押圧具９４を用いて、容器１６を圧迫する。これにより、第１の糞便を含む第１保存液２１及び第２の糞便を含む第２保存液２３は共通フィルタ６１を通過し、ろ過後の第１保存液２１とろ過後の第２保存液２３が共通採液部６５に侵入する。その結果、共通採液部６５においては、ろ過後の第１保存液２１とろ過後の第２保存液２３が相互に混合して検査液９６が貯留する。
【００３５】
共通採液部６５に検査液９６が貯留すると、採液部８３は、共通採液部６５に採液管９８を入れ、検査液９６を採液する。そして、検査部８４は、検査液９６に必要な試薬または光等を用いて、便潜血等の検査を実施する。
【００３６】
上記のように、採便用具１０は、共通採液部６５を設け、第１保存液２１と第２保存液２３を混合した検査液９６を検査装置８０に提供する。このため、例えば、検査液９６を用いて便潜血検査をする場合、第１保存液２１または第２保存液２３のいずれか一方に血液の成分が含まれていれば、便潜血検査は陽性である。逆に、第１保存液２１及び第２保存液２３のどちらにも血液の成分が含まれていなければ、便潜血検査は陰性である。このように、採便用具１０は共通採液部６５を設け、第１保存液２１と第２保存液２３を混合した検査液９６を検査装置８０に提供するので、２日分の検査を１回にまとめて行うことができる。その結果、採便用具１０は検査時間を短縮できる。
【００３７】
採便用具１０は、第１保存液２１と第２保存液２３を混合した検査液９６を提供するものでありながら、第１収容部２２と第２収容部２４を仕切壁６０で隔離することにより、第１保存液２１と第２保存液２３を別々に保存し、検査部８４が行う検査の直前に第１保存液２１と第２保存液２３を混合する構成となっている。このため、第２の糞便を採取する場合、第１の糞便を浸漬した第１保存液２１が容器１６外に露呈することはなく、衛生的に使用できる。
【００３８】
さらに、検査の直前まで第１保存液２１と第２保存液２３を隔離して保存するので、第１の糞便の保存に保存液の有効成分が消費され、後に第２の糞便を採取した際に保存液の有効成分が欠乏して、第２の糞便が適切に保存されないといった不具合もない。このため、採便用具１０は、第１の糞便と第２の糞便を適切に保存できる。その結果、第１保存液２１と第２保存液２３を混合した検査液９６を用いて検査をしても、これらを別々に検査した場合と同様の精度で検査結果を得ることができる。すなわち、採便用具１０は、検査回数を低減しつつ、かつ、検査精度を維持できる。
【００３９】
［第２実施形態］
上記第１実施形態においては、採便用具１０を構成する容器１６は第１収容部２２及び第２収容部２４にまたがって共通フィルタ６１を有するが、第１収容部２２と第２収容部２４にそれぞれフィルタを設けることができる。例えば、採便用具１０は、共通フィルタ６１を有する容器１６の代わりに、図８に示す容器２００を用いて構成することができる。容器２００は、共通フィルタ６１の代わりに第１フィルタ２１１と第２フィルタ２１２を設けた容器である。第１フィルタ２１１は、第１収容部２２に設けられ、第１の糞便を浸漬した第１保存液２１をろ過するフィルタである。第２フィルタ２１２は、第２収容部２４に設けられ、第２の糞便を浸漬した第２保存液２３をろ過するフィルタである。したがって、共通採液部６５は、第１フィルタ２１１を介して第１収容部２２と隣接し、かつ、第２フィルタ２１２を介して第２収容部２４と隣接する。
【００４０】
また、容器２００においては、仕切壁６０は、第１フィルタ２１１と第２フィルタ２１２の間にまで延設し、第１フィルタ２１１と第２フィルタ２１２とを隔離している。このため、検査液９６を生成する場合に、第１保存液２１は第２フィルタ２１２を通過することはなく、逆に、第２保存液２３が第１フィルタ２１１を通過することはない。ただし、仕切壁６０は共通採液部６５内には突出せず、共通採液部６５を区切らない。このため、ろ過後の第１保存液２１とろ過後の第２保存液２３はいずれも共通採液部６５に入ると相互に混合して、第１実施形態と同様に検査液９６となる。
【００４１】
共通フィルタ６１を設けた容器１６と、上記のように第１フィルタ２１１及び第２フィルタ２１２を設けた容器２００を比較すると、共通フィルタ６１を設けた容器１６は、１つの共通フィルタ６１で第１保存液２１及び第２保存液２３をろ過するので、第１保存液２１及び第２保存液２３を同じ条件でろ過することができる利点がある。また、共通フィルタ６１を設けた容器１６は、第１フィルタ２１１及び第２フィルタ２１２を設けた容器２００よりも部品点数を低減できる点、及び、共通フィルタ６１は通常は第１フィルタ２１１及び第２フィルタ２１２の各々よりも大きく、製造時に扱いやすい点も利点である。一方、第１フィルタ２１１及び第２フィルタ２１２を設けた容器２００は、第１フィルタ２１１と第２フィルタ２１２が同性能（同品質）であれば第１保存液２１及び第２保存液２３を同じ条件でろ過することができる。そして、検査の内容等に応じて、第１フィルタ２１１と第２フィルタ２１２の性能（品質を含む）を変更でき、この変更によって、第１保存液２１と第２保存液２３の混合率等を任意に調整できる利点がある。
【００４２】
なお、容器２００（図８参照）は第１フィルタ２１１と第２フィルタ２１２を平行に設けているが、第１フィルタ２１１と第２フィルタ２１２を設ける場合、図９に示す容器２２０のように、第１フィルタ２１１と第２フィルタ２１２を非平行にしてもよい。また、容器２００（図８参照）において、第１フィルタ２１１と第２フィルタ２１２は仕切壁６０を挟んで隣接しており、第１フィルタ２１１及び第２フィルタ２１２が共通採液部６５のほぼ中央にあるが、共通採液部６５にろ過後の第１保存液２１及びろ過後の第２保存液２３を入れることができる範囲内において、第１フィルタ２１１と第２フィルタ２１２の配置は任意である。例えば、図１０に示す容器２３０のように、第１フィルタ２１１と第２フィルタ２１２を隔離して配置することができる。第１フィルタ２１１と第２フィルタ２１２を非平行に設ける場合（図９参照）においても同様である。ただし、第１フィルタ２１１と第２フィルタ２１２を隔離して配置する場合、第１フィルタ２１１と第２フィルタ２１２は、それぞれに、または１つの封止フィルム６２で封止する。図１０においては、第１フィルタ２１１と第２フィルタ２１２をそれぞれに封止フィルム６２で封止している。
【００４３】
［第３実施形態］
採便用具１０は、第１実施形態の容器１６または第２実施形態の容器２００等の代わりに、図１１及び図１２に示す容器３００を用いて構成することができる。容器３００は、共通採液部６５を狭窄する狭窄壁３１０を有する。すなわち、容器３００は、共通採液部６５が狭窄している。共通採液部６５について狭窄とは、共通採液部６５の幅（長さ）が、少なくとも１つの方向において容器３００の幅よりも狭いこと、特に、第１収容部２２の幅、第２収容部２４の幅、または、第１収容部２２及び第２収容部２４の全体の幅よりも狭いことをいう。
【００４４】
狭窄壁３１０は、第１収容部２２及び第２収容部２４の底部から、第１収容部２２及び第２収容部２４の外側に突出して設けた壁であり、少なくとも狭窄壁３１０が囲む範囲にろ過後の第１保存液２１及びろ過後の第２保存液２３の侵入口（本実施形態においては共通フィルタ６１）を含む。また、狭窄壁３１０は、例えば四角筒形状もしくは円筒形状の壁であり、漏れなく検査液９６を貯留する共通採液部６５を形成する。
【００４５】
本実施形態においては、狭窄壁３１０は、容器３００の底面を含むＸＹ面内において、Ｘ方向及びＹ方向に共通採液部６５を狭窄する四角筒形状であり、容器３００のＸ方向の長さＸ１よりも共通採液部６５のＸ方向の長さＸ２は短く（図１２参照）、かつ、容器３００のＹ方向の長さＹ１よりも共通採液部６５のＹ方向の長さＹ２は短い（図１１参照）。ただし、狭窄壁３１０はＸ方向またはＹ方向のいずれか一方の方向に共通採液部６５を狭窄する形状に形成してもよい。なお、狭窄壁３１０を用いて形成する共通採液部６５の高さ（容器３００の長手方向の長さ）、すなわち、狭窄壁３１０の高さは、共通採液部６５に検査に必要な量の検査液９６を貯留できる高さの範囲内で任意の高さにすることができる。
【００４６】
上記のように、容器３００の幅（Ｘ方向またはＹ方向の長さ）に対して共通採液部６５を狭窄した容器３００は、狭窄壁３１０がない場合よりも、検査液９６の水位を高くすることができる。その結果、検査装置８０の採液部８３は、容器３００を用いて構成する採便用具１０から検査液９６を採液しやすい。また、共通採液部６５に、検査に必要な量の検査液９６が貯留するまでの時間を短縮できる。その結果、検査に要する時間を短縮できる。
【００４７】
なお、容器３００は、第１実施形態と同様に共通フィルタ６１を有するが、容器３００は第２実施形態のように第１フィルタ２１１及び第２フィルタ２１２を有する形態に変更できる。すなわち、第３実施形態は、第１実施形態または第２実施形態と任意に組み合わせることができる。
【００４８】
［第４実施形態］
採便用具１０は、上記各実施形態の容器（容器１６等）の代わりに、図１３に示す容器４００を用いて構成することができる。容器４００は、連通部４１０を備える。連通部４１０は、仕切壁６０に設けられ、第１収容部２２及び／または第２収容部２４を容器押圧部８２が押圧した場合に開口することによって第１収容部２２と第２収容部２４を連通する。連通部４１０は、例えば、仕切壁６０に設けた開口４１２（図１４参照）と、当該開口を封止し、第１収容部２２または第２収容部２４の内圧の変化によって一部または全部が開口４１２から剥離する封止フィルムと、で形成する。
【００４９】
また、容器４００は、共通フィルタ６１または第１フィルタ２１１及び第２フィルタ２１２等の代わりに、共通フィルタ４１１を備える。共通フィルタ４１１は、第１収容部２２または第２収容部２４のいずれか一方に設ける。本実施形態においては、共通フィルタ４１１は、第１収容部２２に設けている。
【００５０】
上記容器４００を用いて構成する採便用具１０は、図１４に示すように、容器押圧部８２が押圧具９４を用いて第２収容部２４を押圧することにより、連通部４１０は仕切壁６０に開口４１２を形成する。仕切壁６０に開口４１２が形成されると、第１収容部２２と第２収容部２４が連通するので、第１保存液２１と第２保存液２３は、連通した第１収容部２２及び第２収容部２４内において混合し、検査液９６となる。その後、図１５に示すように、容器押圧部８２が押圧具９２を用いて第１収容部２２を押圧することにより、連通後の第１収容部２２及び第２収容部２４にある検査液９６は、共通フィルタ４１１を通過し、ろ過されて共通採液部６５に貯留する。
【００５１】
上記のように、共通フィルタ４１１は、連通した第１収容部２２及び第２収容部２４で形成した検査液９６をろ過するが、検査液９６は第１保存液２１と第２保存液２３の混合物であるから、共通フィルタ４１１は、第１の糞便を浸漬した第１保存液２１をろ過するフィルタであって、かつ、第２の糞便を浸漬した第２保存液２３をろ過するフィルタである。
【００５２】
なお、本実施形態においては、連通部４１０は、第１収容部２２を押圧した場合に開口するが、連通部４１０は第２収容部２４を押圧した場合に開口してもよく、第１収容部２２及び第２収容部２４の両方を押圧した場合に開口する形態としてもよい。また、本実施形態においては、共通フィルタ４１１を第１収容部２２に設けているが、共通フィルタ４１１は第２収容部２４に設けてもよい。
【００５３】
上記のように容器４００を用いて構成する採便用具１０も、第１実施形態の容器１６を用いて構成する採便用具１０と同様に、２日分の検査を１回にまとめて行うことができる。その結果、採便用具１０は検査時間を短縮できる。また、容器４００を用いて構成する採便用具１０は、第２の糞便を採取する場合、第１の糞便を浸漬した第１保存液２１が容器１６外に露呈することはなく、衛生的に使用できる。さらに、容器４００を用いて構成する採便用具１０は、検査回数を低減しつつ、かつ、検査精度を維持できる。
【００５４】
上記第４実施形態の容器４００は、第３実施形態と組み合わせることができる。すなわち、容器４００においても、共通採液部６５を狭窄できる。
【００５５】
［第５実施形態］
採便用具１０は、上記各実施形態の容器（容器１６等）の代わりに、図１６に示す容器５００を用いて構成することができる。容器５００は、第１収容部２２の底部に第１開口５１１を有し、かつ、第２収容部２４の底部に第２開口５１２を有する。そして、容器５００は、第１収容部２２に設けた第１開口５１１と、第２収容部２４に設けた第２開口５１２と、を封止する開口封止部５１５を備える。また、容器５００においては、共通フィルタ６１は開口封止部５１５に設けられている。
【００５６】
第１開口５１１は、開けた場合に第１保存液２１を共通採液部６５に導出することができれば、容器５００の底面における位置、大きさ、及び形状等は任意である。同様に、第２開口５１２は、開けた場合に第２保存液２３を共通採液部６５に導出することができれば、容器５００の底面における位置、大きさ、及び形状等は任意である。第１開口５１１と第２開口５１２は連通していてもよい。本実施形態においては、図１７に示すように、第１開口５１１及び第２開口５１２は、各々の独立に、容器５００の底面に設けられた円形の開口である。
【００５７】
開口封止部５１５は、容器５００の内壁に沿って容器５００の長手方向（Ｚ方向）に摺動する平板部５２０を有する（図１６参照）。平板部５２０は、開口封止部５１５を摺動して第１開口５１１及び第２開口５１２を開口した場合に、第１開口５１１及び第２開口５１２から流出する第１保存液２１及び第２保存液２３を、容器５００の内部（平板部５２０の第１収容部２２及び第２収容部２４側の空間である混合路５３０（図１９参照））に留める。また、容器５００においては、共通フィルタ６１は平板部５２０に設ける。
【００５８】
また、開口封止部５１５は、容器５００の内部側に向けて、第１開口５１１を封止する第１凸部５２１と、第２開口５１２を封止する第２凸部５２２と、有し、その反対側（平板部５２０から容器５００の外部側）に共通採液部６５を形成する筒状凸部５２３を有する（図１６参照）。第１凸部５２１は、第１開口５１１と嵌合する位置、大きさ、及び形状等を有する。同様に、第２凸部５２２は、第２開口５１２と嵌合する位置、大きさ、及び形状等を有する。本実施形態においては、第１凸部５２１及び第２凸部５２２は、いずれも円柱状の凸部である。筒状凸部５２３は、平板部５２０の少なくとも共通フィルタ６１が埋め込まれた範囲を囲む。このため、平板部５２０及び筒状凸部５２３が囲む空間が、容器５００における共通採液部６５を形成する。筒状凸部５２３の形状は任意であるが、本実施形態においては例えば円筒形状である。
【００５９】
また、容器５００の内壁には、第１開口５１１及び第２開口５１２を開口した場合に開口封止部５１５を係止するストッパ５２６を有する（図１６参照）。
【００６０】
図１８に示すように、容器５００は、第１収容部２２に第１保存液２１を入れ、かつ、第２収容部２４に第２保存液２３を入れた後に、開口封止部５１５の第１凸部５２１及び第２凸部５２２を用いてそれぞれ第１開口５１１及び第２開口５１２を封止することにより、第１収容部２２及び第２収容部２４を閉じる。これが容器５００及び容器５００を用いて構成する採便用具１０の初期状態である。そして、検査部８４が検査液９６を取得する場合には、図１９に示すように、容器押圧部８２が押圧具９２及び押圧具９４を用いてそれぞれ第１収容部２２及び第２収容部２４を加圧することにより、開口封止部５１５を押し上げる。これにより、第１凸部５２１及び第２凸部５２２はそれぞれ第１開口５１１及び第２開口５１２から外れ、平板部５２０と第１収容部２２及び第２収容部２４の間には混合路５３０が形成される。その結果、第１収容部２２から流入する第１保存液２１と第２収容部２４から流入する第２保存液２３は、混合路５３０において混合し、検査液９６を形成する。そして、検査液９６は、平板部５２０に設けられた共通フィルタ６１によってろ過された後、共通採液部６５に貯留する。
【００６１】
上記のように容器５００を用いて構成する採便用具１０も、第１実施形態の容器１６を用いて構成する採便用具１０と同様に、２日分の検査を１回にまとめて行うことができる。その結果、採便用具１０は検査時間を短縮できる。また、容器５００を用いて構成する採便用具１０は、第２の糞便を採取する場合、第１の糞便を浸漬した第１保存液２１が容器１６外に露呈することはなく、衛生的に使用できる。さらに、容器５００を用いて構成する採便用具１０は、検査回数を低減しつつ、かつ、検査精度を維持できる。
【００６２】
なお、上記第５実施形態の容器５００は、開口封止部５１５が筒状凸部５２３によって狭窄した共通採液部６５を形成する。このため、容器５００は、第３実施形態の容器３００と同様に、検査液９６の水位が高く、検査液９６を採液しやすい。
【００６３】
［第６実施形態］
採便用具１０は、上記実施形態の容器（容器１６等）の代わりに、図２０に示す容器６００を用いて構成することができる。容器６００は、第１収容部２２に、封止フィルム６２を用いて封止した第１開口６１１を有し、かつ、第２収容部２４に、封止フィルム６２を用いて封止した第２開口６１２を有する。第１開口６１１及び第２開口６１２の位置等は第５実施形態の第１開口５１１及び第２開口５１２と同様に任意であり、本実施形態においては、第１開口６１１及び第２開口６１２は、各々の独立に容器６００の底面に設けられた円形の開口である。
【００６４】
そして、容器６００は、第１収容部２２に上記第１開口６１１を開口し、かつ、第２収容部２４に上記第２開口６１２を開口する開口形成部６１５を備える。容器６００においては、共通フィルタ６１は開口形成部６１５に設けられている。
【００６５】
図２１に示すように、開口形成部６１５は、容器６００の内壁に沿って容器６００の長手方向（Ｚ方向）に摺動する板部６２０を有する。板部６２０は、開口形成部６１５を摺動して第１開口６１１及び第２開口６１２を開口した場合に、第１開口６１１及び第２開口６１２から流出する第１保存液２１及び第２保存液２３を、容器６００の内部（板部６２０の第１収容部２２及び第２収容部２４側の空間である混合路６３０（図２２参照）に留める。また、容器６００においては、共通フィルタ６１は板部６２０に設ける。
【００６６】
板部６２０は、高さ（Ｚ方向の長さ）が異なる外周部６２２と中央部６２１の２段構成であり、第１収容部２２及び第２収容部２４の底面６２３を基準として、中央部６２１は外周部６２２よりも容器６００の外側に凹んでいる。すなわち、中央部６２１は板部６２０の凹部であり、外周部６２２の内面（第１収容部２２及び第２収容部２４側の面）が第１収容部２２及び第２収容部２４の底面６２３に当接した場合に、中央部６２１の内面は第１収容部２２及び第２収容部２４の底面６２３に当接しない。このため、中央部６２１と底面６２３の間に混合路６３０が形成される。また、容器６００においては、共通フィルタ６１は、中央部６２１に設ける。
【００６７】
また、開口形成部６１５は、容器６００の内部側に向けて、封止フィルム６２を穿刺することにより第１開口６１１を開口する第１穿刺部６３１と、封止フィルム６２を穿刺することにより第２開口６１２を開口する第２穿刺部６３２と、を有し、その反対側（板部６２０から容器６００の外部側）に共通採液部６５を形成する筒状凸部６３３を有する。第１穿刺部６３１は、第１開口６１１封止フィルム６２を破り、第１開口６１１を開口し得る位置及び形状を有する。同様に、第２穿刺部６３２は、第２開口６１２の封止フィルム６２を破り、第２開口６１２を開口し得る位置及び形状を有する。また、筒状凸部６３３は、少なくとも板部６２０（特に中央部６２１）の共通フィルタ６１が埋め込まれた範囲を囲む。このため、板部６２０及び筒状凸部６３３が囲む空間が、容器６００における共通採液部６５を形成する。筒状凸部６３３の形状は任意であるが、本実施形態においては例えば円筒形状である。
【００６８】
なお、容器６００の内壁には、容器６００の内部方向への開口形成部６１５の摺動を制限する第１ストッパ６４１と、容器６００の外部方向への開口形成部６１５の摺動を制限する第２ストッパ６４２と、を有する。第１ストッパ６４１が開口形成部６１５の内部方向への摺動を規制するので、開口形成部６１５は意図しないタイミングで、各封止フィルム６２を破り、第１開口６１１及び第２開口６１２を形成しない。また、第２ストッパ６４２が開口形成部６１５の外部方向への摺動を規制するので、被検者が封止フィルム６６を誤って剥がしたとしても、開口形成部６１５は紛失しない。
【００６９】
図２２に示すように、容器６００を用いて構成する採便用具１０から検査液９６を取得する場合、穿刺部８１は、穿刺具９１を用いて封止フィルム６６を開口し、かつ、開口形成部６１５を押圧することにより、第１ストッパ６４１よりも内部側に押し込む。この結果、開口形成部６１５は、第１穿刺部６３１及び第２穿刺部６３２によって、各封止フィルム６２を破り、第１開口６１１及び第２開口６１２をそれぞれ開口する。その後、容器押圧部８２が押圧具９２及び押圧具９４を用いて第１収容部２２と第２収容部２４を押圧すると、第１収容部２２の第１保存液２１と第２収容部２４の第２保存液２３は、混合路６３０に流れ込み、相互に混合することによって検査液９６を形成する。混合路６３０で形成する検査液９６は、共通フィルタ６１を通過することによりろ過され、共通採液部６５に貯留する。
【００７０】
上記のように容器６００を用いて構成する採便用具１０も、第１実施形態の容器１６を用いて構成する採便用具１０と同様に、２日分の検査を１回にまとめて行うことができる。その結果、採便用具１０は検査時間を短縮できる。また、容器６００を用いて構成する採便用具１０は、第２の糞便を採取する場合、第１の糞便を浸漬した第１保存液２１が容器１６外に露呈することはなく、衛生的に使用できる。さらに、容器６００を用いて構成する採便用具１０は、検査回数を低減しつつ、かつ、検査精度を維持できる。
【００７１】
なお、上記第６実施形態の容器６００は、開口形成部６１５が筒状凸部６３３によって狭窄した共通採液部６５を形成する。このため、容器５００は、第３実施形態の容器３００と同様に、検査液９６の水位が高く、検査液９６を採液しやすい。
【００７２】
なお、上記各実施形態等においては、第１キャップ１２及び第２キャップ１４の外形は直方体形状であるが、それぞれ独立に各実施形態の容器（容器１６等）から取り外すことができる範囲内において、第１キャップ１２及び第２キャップ１４の外形は任意である。例えば、図２３に示す第１キャップ７１２及び第２キャップ７１４のように、外形をＬ字型に形成してもよい。第１キャップ７１２は第１採便棒１１の把持部であり、第２キャップ７１４は第２採便棒１３の把持部である。Ｌ字型の第１キャップ７１２及び第２キャップ７１４は、図２３（Ａ）に示すように、相互に物理的に干渉せずに容器１６等に取り付けることができ、図２３（Ｂ）に示すように、相互に物理的に干渉せずに容器１６等に対して回動することにより、取り外しが可能である。また、図２４に示すように、第１キャップ７１２は、容器１６等への取り付け及び／または取り外しを容易にするために、凸部７１５を有する立体的形状であることが好ましい。第２キャップ７１４も同様である。
【００７３】
また、第１キャップ１２及び第２キャップ１４の代わりに、図２５に示す第１キャップ７２２及び第２キャップ７２４のように、一方を回動した場合に他方に接触する形態の把持部を設けてもよい。第１キャップ７２２は第１採便棒１１の把持部であり、第２キャップ７２４は第２採便棒１３の把持部である。この場合、第１キャップ７２２及び第２キャップ７２４は、回動以外の方法（例えば押し上げる等の方法）により容器１６等から各々に取り外し及び取り付けが可能であるようにしておく。また、図２６に示すように、第１キャップ７２２及び第２キャップ７２４は、押し上げる等の方法で容器１６等から取り外すために、凸部７２５を有していることが好ましい。こうすれば、例えば、図２６（Ａ）に示すように容器１６に取り付けられている第１キャップ７２２は、凸部７２５を押圧等することにより、図２６（Ｂ）に示すように第１キャップ７２２の全体が押し上がる。その結果、第２キャップ７２４と物理的に干渉することなく、容器１６から取り外すことができる。
【００７４】
また、上記各実施形態等において、採便用具１０を構成する容器１６等は第１収容部２２と第２収容部２４の幅が広い面（ＸＺ面）を合わせて一体化した直方体形状であるが、図２７及び図２８に示すように、採便用具１０を構成する容器は、第１収容部２２と第２収容部２４の幅が狭い面（ＹＺ面）を合わせて一体化した、さらに扁平な直方体形状の容器７３０とすることができる。
【００７５】
上記各実施形態等の採便用具は、便潜血検査等の便を用いる任意の検査に用いることができる。また、上記各実施形態等においては、２日分（あるいは２箇所）の糞便を採取するが、１日分（あるいは１箇所）の糞便を採取して実施する検査においても上記各実施形態等の採便用具を用いることができる。さらに、上記各実施形態等の採便用具と同様にして、３日分（あるいは３箇所）以上の糞便を採取するための採便用具を構成することができる。
【００７６】
上記各実施形態等において、検査装置８０の各種処理を実行する処理部（processing unit)のハードウェア的な構造は、次に示すような各種のプロセッサ（processor）である。各種のプロセッサには、ソフトウエア（プログラム）を実行して各種の処理部として機能する汎用的なプロセッサであるＣＰＵ（Central Processing Unit)、ＧＰＵ（Graphical Processing Unit）、ＦＰＧＡ (Field Programmable Gate Array) などの製造後に回路構成を変更可能なプロセッサであるプログラマブルロジックデバイス（Programmable Logic Device:ＰＬＤ）、各種の処理を実行するために専用に設計された回路構成を有するプロセッサである専用電気回路などが含まれる。
【００７７】
１つの処理部は、これら各種のプロセッサのうちの１つで構成されてもよいし、同種または異種の２つ以上のプロセッサの組み合せ（例えば、複数のＦＰＧＡ、ＣＰＵとＦＰＧＡの組み合わせ、またはＣＰＵとＧＰＵの組み合わせ等）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウエアの組み合わせで１つのプロセッサを構成し、このプロセッサが複数の処理部として機能する形態がある。第２に、システムオンチップ（System On Chip:ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【００７８】
さらに、これらの各種のプロセッサのハードウェア的な構造は、より具体的には、半導体素子などの回路素子を組み合わせた形態の電気回路（circuitry）である。
【符号の説明】
【００７９】
１０  採便用具
１１  第１採便棒
１２  第１キャップ
１３  第２採便棒
１４  第２キャップ
１６  容器
２１  第１保存液
２２  第１収容部
２３  第２保存液
２４  第２収容部
３１  採便部
３３  採便部
４１  第１嵌合部
４３  第２嵌合部
４５  第１導管
４７  第２導管
５３  第１擦切部
５５  第２擦切部
６０  仕切壁
６１  共通フィルタ
６２  封止フィルム
６５  共通採液部
６６  封止フィルム
８０  検査装置
８１  穿刺部
８２  容器押圧部
８３  採液部
８４  検査部
９１  穿刺具
９２  押圧具
９４  押圧具
９６  検査液
９８  採液管
２００  容器
２１１  第１フィルタ
２１２  第２フィルタ
２２０  容器
２３０  容器
３００  容器
３１０  狭窄壁
４００  容器
４１０  連通部
４１１  共通フィルタ
４１２  開口
５００  容器
５１１  第１開口
５１２  第２開口
５１５  開口封止部
５２０  平板部
５２１  第１凸部
５２２  第２凸部
５２３  筒状凸部
５２６  ストッパ
５３０  混合路
６００  容器
６１１  第１開口
６１２  第２開口
６１５  開口形成部
６２０  板部
６２１  中央部
６２２  外周部
６２３  底面
６３０  混合路
６３１  第１穿刺部
６３２  第２穿刺部
６３３  筒状凸部
６４１  第１ストッパ
６４２  第２ストッパ
７１２  第１キャップ
７１４  第２キャップ
７１５  凸部
７２２  第１キャップ
７２４  第２キャップ
７２５  凸部
７３０  容器
【図１】
2020051865.tif 000003
【図２】
2020051865.tif 000004
【図３】
2020051865.tif 000005
【図４】
2020051865.tif 000006
【図５】
2020051865.tif 000007
【図６】
2020051865.tif 000008
【図７】
2020051865.tif 000009
【図８】
2020051865.tif 000010
【図９】
2020051865.tif 000011
【図１０】
2020051865.tif 000012
【図１１】
2020051865.tif 000013
【図１２】
2020051865.tif 000014
【図１３】
2020051865.tif 000015
【図１４】
2020051865.tif 000016
【図１５】
2020051865.tif 000017
【図１６】
2020051865.tif 000018
【図１７】
2020051865.tif 000019
【図１８】
2020051865.tif 000020
【図１９】
2020051865.tif 000021
【図２０】
2020051865.tif 000022
【図２１】
2020051865.tif 000023
【図２２】
2020051865.tif 000024
【図２３】
2020051865.tif 000025
【図２４】
2020051865.tif 000026
【図２５】
2020051865.tif 000027
【図２６】
2020051865.tif 000028
【図２７】
2020051865.tif 000029
【図２８】
2020051865.tif 000030